(57)【要約】【課題】ＤＶＤのデータ構造上のマルチＰＧＣのタイトルドメインを再生時に、各マルチＰＧＣにチャプタ番号を割り振るアルゴリズムを有する光ディスク再生装置を提供する。【解決手段】再生処理が開始されると、再生箇所判定手段は、マルチＰＧＣの箇所を再生したか否かを判定する。マルチＰＧＣの箇所を再生したと判定されると、チャプタ番号割り振り手段は、各ＰＧＣに対してチャプタ番号を割り振る。このように割り振られたチャプタ番号とＰＧＣ番号との対応関係を示すテーブルは、テーブル格納手段により、フラッシュＲＯＭに格納される。次に、チャプタ番号表示手段は、当該ＰＧＣのタイトルドメインの再生時に当該ＰＧＣのＰＧＣ番号に対応したチャプタ番号をフラッシュＲＯＭのテーブルから読み出し、オンスクリーンディスプレイ表示させる。【選択図】図３
2008034022.tif 000002
【特許請求の範囲】
【請求項１】
光ディスクに記録された情報を再生する光ディスク再生装置において、
光ディスクの再生処理が開始して、タイトルを再生しようとしたときにＰＧＣ（プログラムチェーン）が複数個有るか否かを検知することによってマルチＰＧＣの箇所を再生したか否かを判定する再生箇所判定手段と、
ＰＧＣが複数個有ることを検知してマルチＰＧＣの箇所を再生したと判定された場合に、各ＰＧＣに対してチャプタ番号を割り振るチャプタ番号割り振り手段と、
前記割り振られたチャプタ番号とＰＧＣ番号との対応関係を示すテーブルをメモリに格納させるテーブル格納手段と、
当該ＰＧＣのタイトルドメインの再生時に当該ＰＧＣのＰＧＣ番号に対応したチャプタ番号を前記メモリのテーブルから読み出し、この読み出したチャプタ番号をオンスクリーンディスプレイ表示させるチャプタ番号表示手段と、を有するシステムコントローラを備えたことを特徴とする光ディスク再生装置。
【請求項２】
光ディスクに記録された情報を再生する光ディスク再生装置において、
光ディスクの再生処理が開始して、タイトルを再生しようとしたときにＰＧＣ（プログラムチェーン）が複数個有ることを検知してマルチＰＧＣの箇所を再生したと判定した場合に、各ＰＧＣに対してチャプタ番号を割り振り、当該ＰＧＣのタイトルドメインの再生時に前記割り振りされたチャプタ番号をオンスクリーンディスプレイ表示させる制御を行うシステムコントローラを備えたことを特徴とする光ディスク再生装置。
【請求項３】
前記システムコントローラは、光ディスクの再生処理が開始して、タイトルを再生しようとしたときにＰＧＣが複数個有るか否かを検知することによってマルチＰＧＣの箇所を再生したか否かを判定する再生箇所判定手段と、ＰＧＣが複数個有ることを検知してマルチＰＧＣの箇所を再生したと判定された場合に、各ＰＧＣに対してチャプタ番号を割り振るチャプタ番号割り振り手段と、前記割り振られたチャプタ番号とＰＧＣ番号との対応関係を示すテーブルをメモリに格納させるテーブル格納手段と、当該ＰＧＣのタイトルドメインの再生時に当該タイトル中のＰＧＣのＰＧＣ番号に対応したチャプタ番号を前記メモリのテーブルから読み出し、この読み出したチャプタ番号をオンスクリーンディスプレイ表示させるチャプタ番号表示手段と、を有することを特徴とする請求項２に記載の光ディスク再生装置。
【発明の詳細な説明】
【技術分野】
【０００１】
本発明は、光ディスクに記録された情報を再生する光ディスク再生装置に関し、特に、マルチＰＧＣ（プログラムチェーン）の再生中のチャプタ番号の表示処理に関する。
【背景技術】
【０００２】
近年、映画やテレビ番組などのように情報を長時間記録できる光ディスクの一種であるＤＶＤ（デジタル・バーサタイル・ディスク）が普及している。市販のＤＶＤの中でも、特に日本向けに販売されているＤＶＤに関しては、ディスク規格の範囲内でディスク規格を極力一杯まで使って情報を書き込んでいる。ＤＶＤに対する再生動作における論理的な再生単位であるＰＧＣは、プログラムチェーン情報（ＰＧＣＩ）と、１個あるいは複数個のビデオオブジェクト（ＶＯＢ）に含まれる複数個のセルによって構成される。また、ＤＶＤにおいては、タイトルの中でマルチＰＧＣという情報を記録する箇所があるが、ハイライトを選択したときに、このハイライトに対応するシーンが記録されている該当マルチＰＧＣに飛ぶという情報もマルチＰＧＣに記録されている。
【０００３】
一つのタイトルの中に、複数の部分で分かれているのをマルチＰＧＣと言うが、従来の光ディスク再生装置（ＤＶＤプレイヤ）では、マルチＰＧＣを再生するときに、チャプタ番号を振らない仕様になっており、マルチＰＧＣを再生しているときには、チャプタサーチ、タイムサーチ、ダイレクトサーチ（直接チャプタ番号を入力して行うサーチ）の操作が行われても、そのサーチ操作を無効にする構成になっている。
【特許文献１】特開２００１−５７００７号公報
【特許文献２】特開２００４−２１３７０６号公報
【発明の開示】
【発明が解決しようとする課題】
【０００４】
ところで、従来の光ディスク再生装置においては、ＤＶＤの再生動作時にチャプタ番号を振らないのは、ＤＶＤにおけるＰＧＣの階層よりも下の箇所（ＰＴＴ＿Ｎｓ）にチャプタ番号の情報が記録されている。したがって、マルチＰＧＣのタイトルドメイン（ＴＴ＿ＤＯＭ）を再生時に、チャプタ番号を割り振った場合、この割り振ったチャプタ番号の数字だけでなく、ＰＧＣの階層よりも下の箇所（ＰＴＴ＿Ｎｓ）のチャプタ番号も読み込むため、ＯＳＤによりディスプレイ装置に表示されるチャプタ番号を示す数字が両チャプタ番号の数字により化けて重なったりするなどの多くの異常表示を発生させてしまうと言う課題が生じる。そこで、従来の光ディスク再生装置では、前記のような課題が生じないように、マルチＰＧＣを構成するタイトルを再生しているときには、チャプタ番号を割り振らない仕様となっているが、チャプタ番号を割り振るようにしなければ、マルチＰＧＣの箇所を再生中に、サーチ操作、リピート設定、およびＤＶＤのプログラム／ランダム再生を行うことができないので、ユーザに対して分かり辛い仕様となっていて、ユーザにとっては使い勝手が劣るという課題が生じる。
【０００５】
なお、特許文献１の従来技術は、再生動作の中断位置を特定するために必要な再生状態特定データをＲＡＭに格納し、再生開始時はその位置から再生動作を開始し、タイトルサーチ、チャプタサーチ、タイムサーチの許可状態に応じて適宜再生位置を飛ばして行って再生中断位置からの再生動作を再開するようにしたものであるが、マルチＰＧＣのタイトルドメインを再生時に、各ＰＧＣにチャプタ番号を割り振るようにしているものではない。また、特許文献２の従来技術は、１シーン／１チャプタによるデータ記録を採用し、且つ、名メニューから直接各チャプタにリンクすることを可能ならしめているが、マルチＰＧＣのタイトルドメイン再生時に、各ＰＧＣにチャプタ番号を割り振るようにしているものではない。
【０００６】
本発明は、上記のような課題を解決するためになされたもので、ＤＶＤのデータ構造上におけるマルチＰＧＣのタイトルドメインを再生時に、各マルチＰＧＣにチャプタ番号を割り振るアルゴリズムを有する光ディスク再生装置を提供することを目的とする。
【課題を解決するための手段】
【０００７】
上記目的を達成するために、請求項１の発明は、光ディスクの再生処理が開始して、タイトルを再生しようとしたときにＰＧＣ（プログラムチェーン）が複数個有るか否かを検知することによってマルチＰＧＣの箇所を再生したか否かを判定する再生箇所判定手段と、ＰＧＣが複数個有ることを検知してマルチＰＧＣの箇所を再生したと判定された場合に、各ＰＧＣに対してチャプタ番号を割り振るチャプタ番号割り振り手段と、前記割り振られたチャプタ番号とＰＧＣ番号との対応関係を示すテーブルをメモリに格納させるテーブル格納手段と、当該ＰＧＣのタイトルドメインの再生時に当該ＰＧＣのＰＧＣ番号に対応したチャプタ番号を前記メモリのテーブルから読み出し、この読み出したチャプタ番号をオンスクリーンディスプレイ表示させるチャプタ番号表示手段と、を有するシステムコントローラを備えたことを特徴とする光ディスク再生装置を提供する。
【０００８】
この構成において、再生処理が開始されると、再生箇所判定手段は、光ディスクに記録されているタイトルを再生しようとしたときにＰＧＣが複数個有るか否かを検知することによってマルチＰＧＣの箇所を再生したか否かを判定する。マルチＰＧＣの箇所を再生したと判定されると、チャプタ番号割り振り手段は、各ＰＧＣに対してチャプタ番号を割り振る。このように割り振られたチャプタ番号とＰＧＣ番号との対応関係を示すテーブルは、テーブル格納手段により、メモリに格納される。次に、チャプタ番号表示手段は、当該ＰＧＣのタイトルドメインの再生時に当該ＰＧＣのＰＧＣ番号に対応したチャプタ番号をメモリのテーブルから読み出し、オンスクリーンディスプレイ表示させる。
【０００９】
この構成によれば、マルチＰＧＣのタイトルドメイン再生時に、各ＰＧＣにチャプタ番号を割り振り、チャプタ番号が表示されるので、マルチＰＧＣ箇所再生中のサーチ操作、リピート設定、ＤＶＤのプログラム／ランダム再生などの各種再生設定が可能になり、ユーザによっては便利になる。
【００１０】
請求項２の発明は、光ディスクの再生処理が開始して、タイトルを再生しようとしたときにＰＧＣ（プログラムチェーン）が複数個有ることを検知してマルチＰＧＣの箇所を再生したと判定した場合に、各ＰＧＣに対してチャプタ番号を割り振り、当該ＰＧＣのタイトルドメインの再生時に前記割り振りされたチャプタ番号をオンスクリーンディスプレイ表示させる制御を行うシステムコントローラを備えたことを特徴とする光ディスク再生装置を提供する。
【００１１】
この構成において、再生処理が開始されると、光ディスクに記録されているタイトルを再生しようとしたときにＰＧＣが複数個有ることを検知してマルチＰＧＣの箇所を再生したと判定されると、各ＰＧＣに対してチャプタ番号が割り振られる。当該ＰＧＣのタイトルドメインの再生時には、前記割り振りされたチャプタ番号がオンスクリーンディスプレイ表示される。
【００１２】
この構成によれば、マルチＰＧＣのタイトルドメイン再生時に、各ＰＧＣにチャプタ番号を割り振り、チャプタ番号が表示されるので、マルチＰＧＣ箇所再生中のサーチ操作、リピート設定、ＤＶＤのプログラム／ランダム再生などの各種再生設定が可能になり、ユーザによっては便利になる。
【００１３】
請求項３の発明では、請求項２の発明において、前記システムコントローラは、光ディスクの再生処理が開始して、タイトルを再生しようとしたときにＰＧＣが複数個有るか否かを検知することによってマルチＰＧＣの箇所を再生したか否かを判定する再生箇所判定手段と、ＰＧＣが複数個有ることを検知してマルチＰＧＣの箇所を再生したと判定された場合に、各ＰＧＣに対してチャプタ番号を割り振るチャプタ番号割り振り手段と、前記割り振られたチャプタ番号とＰＧＣ番号との対応関係を示すテーブルをメモリに格納させるテーブル格納手段と、当該ＰＧＣのタイトルドメインの再生時に当該ＰＧＣのＰＧＣ番号に対応したチャプタ番号を前記メモリのテーブルから読み出し、この読み出したチャプタ番号をオンスクリーンディスプレイ表示させるチャプタ番号表示手段とを有する。
【００１４】
したがって、前記システムコントローラは、再生箇所判定処理、チャプタ番号割り振り処理、テーブル格納処理、およびチャプタ番号表示処理を実現でき、これにより、マルチＰＧＣのタイトルドメイン再生時に、各ＰＧＣにチャプタ番号を割り振ることができ、チャプタ番号を表示させることができる。
【発明の効果】
【００１５】
以上のように本発明によれば、光ディスクの再生処理が開始して、タイトルを再生しようとしたときにＰＧＣ（プログラムチェーン）が複数個有るか否かを検知することによってマルチＰＧＣの箇所を再生したか否かを判定する再生箇所判定手段と、ＰＧＣが複数個有ることを検知してマルチＰＧＣの箇所を再生したと判定された場合に、各ＰＧＣに対してチャプタ番号を割り振るチャプタ番号割り振り手段と、前記割り振られたチャプタ番号とＰＧＣ番号との対応関係を示すテーブルをメモリに格納させるテーブル格納手段と、当該ＰＧＣのタイトルドメインの再生時に当該ＰＧＣのＰＧＣ番号に対応したチャプタ番号を前記メモリのテーブルから読み出し、この読み出したチャプタ番号をオンスクリーンディスプレイ表示させるチャプタ番号表示手段と、を有するシステムコントローラを備えたので、マルチＰＧＣのタイトルドメイン再生時に、各ＰＧＣにチャプタ番号を割り振り、チャプタ番号が表示され、これにより、マルチＰＧＣ箇所再生中のサーチ操作、リピート設定、ＤＶＤのプログラム／ランダム再生などの各種再生設定が可能になり、ユーザによっては便利になる。
【００１６】
また、本発明によれば、光ディスクの再生処理が開始して、タイトルを再生しようとしたときにＰＧＣ（プログラムチェーン）が複数個有ることを検知してマルチＰＧＣの箇所を再生したと判定した場合に、各ＰＧＣに対してチャプタ番号を割り振り、当該ＰＧＣのタイトルドメインの再生時に前記割り振りされたチャプタ番号をオンスクリーンディスプレイ表示させる制御を行うシステムコントローラを備えたので、マルチＰＧＣのタイトルドメイン再生時に、各ＰＧＣにチャプタ番号を割り振り、チャプタ番号が表示され、これにより、マルチＰＧＣ箇所再生中のサーチ操作、リピート設定、ＤＶＤのプログラム／ランダム再生などの各種再生設定が可能になり、ユーザによっては便利になる。
【発明を実施するための最良の形態】
【００１７】
以下、添付図面を参照しつつ、本発明の実施の形態について説明する。図１は本発明の一実施形態に係る光ディスク再生装置の構成を示すブロック図である。
【００１８】
この光ディスク再生装置は、光ディスク（ＤＶＤ）１を回転させるスピンドルモータ５と、光ディスク１に記録された情報を再生するためのレーザ光を出射すると共に光ディスク１からの反射光を受光する光ピックアップ２と、この光ピックアップ２を光ディスク１の半径方向に移動させるためのスレッド３と、システムコントローラ２２の指示に応じてスピンドルモータ５およびスレッド３を駆動すると共に光ピックアップ２に内蔵された対物レンズ（図示せず）を動かすことによりレーザ光の焦点位置を光ディスク１の記録面に対して垂直方向および水平方向に移動させる制御を行うサーボ制御部４とを備えている。
【００１９】
また、この光ディスク再生装置は、光ディスク１の再生時に光ピックアップ２からの読取信号であるＲＦ信号を増幅するＲＦアンプ６と、このＲＦアンプ６から出力されたＲＦ信号をデジタルデータに変換した後に光ディスク１のデータフォーマットに応じた信号復調処理と誤り訂正処理を行って生成したデータをＲＡＭ７に格納するデジタル信号処理部８と、システムコントローラ２２の指示に応じてデジタル信号処理部８から出力されたデータストリームの中からオーディオデータとサブピクチャデータと映像データとを分離するストリーム分離部９とを備えている。
【００２０】
また、この光ディスク再生装置は、ストリーム分離部９から出力されたオーディオデータを入力して所定のデコード処理を行うオーディオデコーダ１１と、このオーディオデコーダ１１でのデコード処理を行うためにデータを一時的に格納するＲＡＭ１０と、ストリーム分離部９から出力されたサブピクチャデータを入力して所定のデコード処理を行うサブピクチャデコーダ１３と、このサブピクチャデコーダ１３でのデコード処理を行うためにデータを一時的に格納するＲＡＭ１２と、ストリーム分離部９から出力された映像データを入力して所定のデコード処理を行うビデオデコーダ１５と、このビデオデコーダ１５でのデコード処理を行うためにデータを一時的に格納するＲＡＭ１４とを備えている。
【００２１】
また、この光ディスク再生装置は、システムコントローラ２２の指示に応じてビデオデコーダ１５から出力されたデータとサブピクチャデコーダ１３から出力されたデータとを合成するビデオプロセッサ１７と、このビデオプロセッサ１７から出力された合成データを表示用のビデオ信号に変換して画像をディスプレイ装置２０に表示させるビデオエンコーダ１８と、オーディオデコーダ１１から出力されたデータをアナログのオーディオ信号に変換して図示しない音声回路を介して例えばスピーカ１９に供給するＤ／Ａ変換器１６とを備えている。
【００２２】
また、この光ディスク再生装置は、システムコントローラ２２に対して、再生指示を与えるための再生キー（図示せず）、再生停止を指示するための停止キー（図示せず）、その他各種操作キー（図示せず）を有する操作部２１と、装置全体を制御する前記システムコントローラ２２とを備えている。操作部２１は、リモコン（リモートコントローラ）２６からの操作指令を示す光信号を受信する受光手段（図示せず）を備え、この受光手段により光信号を電気信号に変換してシステムコントローラ２２に指令信号を入力する。リモコン２６は、操作部２１と同様な各種操作キーと、更に多くの各種操作キーなどを有する。
【００２３】
また、この光ディスク再生装置は、装置の各構成要素を制御したり、装置全体を制御したりするためのプログラムやデータなどを記憶するフラッシュＲＯＭ２３と、このフラッシュＲＯＭ２３のプログラムやデータに従って演算処理を行いシステムコントローラ２２を制御するＣＰＵ２４と、このＣＰＵ２４の演算処理に必要なデータを一時的に格納するＲＡＭ２７と、操作部２１またはリモコン２６からの操作内容などを表示したりする本体側の表示手段である表示部２５とを備えている。
【００２４】
システムコントローラ２２は、本実施形態の特徴とする構成要素として、光ディスク１の再生処理が開始して、タイトルを再生しようとしたときにＰＧＣが複数個有るか否かを検知することによってマルチＰＧＣの箇所を再生したか否かを判定する再生箇所判定手段と、ＰＧＣが複数個有ることを検知してマルチＰＧＣの箇所を再生したと判定された場合に、各ＰＧＣに対してチャプタ番号を割り振るチャプタ番号割り振り手段と、前記割り振られたチャプタ番号とＰＧＣ番号との対応関係を示すテーブルをフラッシュＲＯＭ２３に格納させるテーブル格納手段と、当該ＰＧＣのタイトルドメインの再生時に当該タイトル中のＰＧＣのＰＧＣ番号に対応したチャプタ番号をフラッシュＲＯＭ２３のテーブルから読み出し、この読み出したチャプタ番号をオンスクリーンディスプレイ表示させるチャプタ番号表示手段と、を有する。
【００２５】
図２は本実施形態においてＤＶＤビデオの光ディスクに記録されているＰＧＣの位置を説明するためのデータ構造図である。図２において、ＶＭＧ（ビデオマネージャ）は、ディスクに関する管理情報を示す。ＶＭＧは、図示しないＶＭＧＩ（ビデオマネージャ情報）と、ＶＭＧＩ＿ＶＯＢＳ（ＶＭＧメニュー用ビデオオブジェクトセット）と、ＶＭＧＩ＿ＢＵＰ（ＶＭＧＩのバックアップ用ファイル）とによって構成されている。前記ＶＭＧＩは、図２に示すＶＴＳ（ビデオタイトルセット）に関する情報（ＶＴＳの個数、各ＶＴＳを識別するためのＶＴＳ番号、ＤＶＤ内の各ＶＴＳの格納位置など）、タイトルメニューに表示されるタイトルの表示順、１つ以上のＰＧＣＩ（プログラムチェーン情報）、ＤＶＤを識別するためのＶＭＧ＿ＩＤ（ＶＭＧ識別情報）、ディスク名（例えば、映画の題名）などが含まれている。
【００２６】
前記ＶＴＳとしては、ＶＴＳ♯１〜ＶＴＳ♯ｍのように複数個のＶＴＳを有する。そして、各ＶＴＳは複数個のＴＴ（タイトル）から構成され、例えば、ＶＴＳ♯２はＴＴ♯１〜ＴＴ♯ｎから構成される。ＴＴは複数個のＰＧＣから構成され、例えば、ＴＴ♯３はＰＧＣ♯１〜ＰＧＣ♯ｎから構成される。ＣＨＰ１〜ＣＨＰｎは、ＰＧＣ♯１〜ＰＧＣ♯ｎに対して割り振りされたチャプタ番号を示す。これらのチャプタ番号とＰＧＣ番号とは、テーブルとして例えば、図１中のフラッシュＲＯＭ２３に格納される。また、図示しないＰＴＴ＿Ｎｓは、ＤＶＤにおけるＰＧＣの階層よりも下の箇所であり、ＰＴＴ＿Ｎｓには、ワンシーケンスＰＧＣを通常再生するときに読み出されるチャプタ番号の情報が記録されている。
【００２７】
ところで、ＤＶＤは、通常ワンシーケンスＰＧＣで構成されているが、１つのタイトルの中で、色々の箇所に飛ばそうとしたときには、複数個のＰＧＣの構成にしないと、１つのタイトルの中で、色々の箇所に飛ばすことができない。例えば、ＤＶＤの或る箇所を再生しているときに、この箇所でリモコン２６の或るキーを押すと、所定の箇所に飛ぶような仕様のＤＶＤをメーカが作っている場合には、複数個のＰＧＣの構成（マルチＰＧＣの構成）にしないと、特殊なＤＶＤを作成できないので、マルチＰＧＣという規格が設けられている。
【００２８】
前記特殊なＤＶＤとは、普通の映画が記録されたＤＶＤとは違って、例えば、或る山の風景が記録されたＤＶＤであった場合に、或るキーを押すと、この山の名称や高さなどの情報を再生する箇所まで飛ぶという処理が可能なＤＶＤのことを言う。このような特殊なＤＶＤを作成しようとした場合は、複数個のＰＧＣが必要となる。
【００２９】
図３は本実施形態においてチャプタ番号を表示させるまでの処理を説明するためのフローチャートである。このフローチャートおよび図１、図２を参照してチャプタ番号を表示させるまでの処理について説明する。
【００３０】
先ず、光ディスク（ＤＶＤ）１が装填されると、システムコントローラ２２は、光ディスク１の装填を検知し（ステップＳ１）、光ディスク１を少し回転させると共に光ピックアップ２を駆動させ、光ディスク１からディスク情報を読み出す処理である所謂マウント処理を行って（ステップＳ２）、リモコン２６の再生キーまたは操作部２１の再生キーの押下を待つ。ユーザにより再生キーが押下されると、システムコントローラ２２は、再生キーの押下を検知し（ステップＳ３）、これに応答して、サーボ制御部４を介してスピンドルモータ５を回転させることにより光ディスク１を回転させると共に光ピックアップ２を駆動させ、光ディスク１に対する再生処理を開始させる（ステップＳ４）。
【００３１】
再生処理が開始されると、システムコントローラ２２の再生箇所判定手段は、光ディスク１に記録されているＴＴ（タイトル）を再生しようとしたときにＰＧＣ（プログラムチェーン）が複数個有るか否かを検知することによってマルチＰＧＣの箇所を再生したか否かを判定する（ステップＳ５）。例えば、図２に示すように、ＴＴ♯３を再生しようとしたとき、ＰＧＣがＰＧＣ♯１〜ＰＧＣ♯ｎで示すように複数個有るので、再生箇所判定手段は、マルチＰＧＣの箇所を再生したと判定する。
【００３２】
マルチＰＧＣの箇所を再生したと判定されると、システムコントローラ２２のチャプタ番号割り振り手段は、各ＰＧＣに対してチャプタ番号を割り振る（ステップＳ６）。チャプタ番号割り振り手段は、例えば、図２に示すように、ＰＧＣ♯１に対してＣＨＰ１、ＰＧＣ♯２に対してＣＨＰ２、ＰＧＣ♯３に対してＣＨＰ３、・・・、ＰＧＣ♯ｎに対してＣＨＰｎというように、各ＰＧＣに対してチャンネル番号を割り振る。このように割り振られたチャプタ番号とＰＧＣ番号との対応関係を示すテーブルは、システムコントローラ２２のテーブル格納手段により、フラッシュＲＯＭ２３に格納される。
【００３３】
次に、システムコントローラ２２のチャプタ番号表示手段は、当該ＴＴ（タイトル）の再生時に当該ＴＴ中のＰＧＣのＰＧＣ番号に対応したチャプタ番号のデータをフラッシュＲＯＭ２３のテーブルから読み出し、この読み出したチャプタ番号のデータをビデオプロセッサ１７およびビデオエンコーダ１８を介してディスプレイ装置２０に入力し、ディスプレイ装置２０にＯＳＤ（オンスクリーンディスプレイ）表示させる（ステップＳ７）。
【００３４】
一方、ステップＳ５において、システムコントローラ２２の再生箇所判定手段は、光ディスク１に記録されているＴＴ（タイトル）を再生しようとしたときにＰＧＣ（プログラムチェーン）が１個であることを検知することによってマルチＰＧＣの箇所を再生していないと判定したとき、システムコントローラ２２は、ワンシーケンスＰＧＣを通常再生させる（ステップＳ８）。そして、システムコントローラ２２のチャプタ番号表示手段は、ＰＧＣの階層よりも下の箇所（ＰＴＴ＿Ｎｓ）よりチャプタ番号を読み出し、ワンシーケンスＰＧＣとしてチャプタ番号をディスプレイ装置２０にＯＳＤ表示させる（ステップＳ９）。
【００３５】
本実施形態の光ディスク装置は、以上のような処理により、マルチＰＧＣのタイトルドメイン再生時に、各ＰＧＣにチャプタ番号を割り振り、チャプタ番号を表示するので、マルチＰＧＣ箇所再生中のサーチ操作、リピート設定、ＤＶＤのプログラム／ランダム再生が可能になる。なお、プログラム／ランダム再生は、特にチャプタ番号を表示させなくても、各ＰＧＣにチャプタ番号を割り振るだけで、その再生は可能である。
【００３６】
チャプタ番号の情報は、ＰＧＣの階層よりも下の箇所（ＰＴＴ＿Ｎｓ）に記録されているため、マルチＰＧＣのタイトルドメインを再生中にチャプタ番号を割り振った場合、ＯＳＤによるディスプレイ装置に多くの異常表示を発生させてしまう。そこで、本実施形態では、ＰＧＣの階層よりも下の箇所（ＰＴＴ＿Ｎｓ）の情報を読み込むことなく、マルチＰＧＣとなっているタイトルドメイン再生時だけは、各ＰＧＣに対してチャプタ番号を割り振る事とする。前記アルゴリズムを導入することで、マルチＰＧＣ箇所再生中のサーチ操作、リピート設定、ＤＶＤのプログラム／ランダム再生が可能となる。よって、ユーザからすれば、何故再生中にチャプタ番号が表示されなかったり、各種再生設定が行えなかったりするなどの疑問を解消することが可能となる。
【産業上の利用可能性】
【００３７】
本発明においては、ＤＶＤを再生する場合、マルチＰＧＣのタイトルドメイン再生時にチャプタ番号を割り振るアルゴリズムを、ＤＶＤプレイヤ（光ディスク再生装置）に設けることによって、マルチＰＧＣ箇所再生中のサーチ操作、リピート設定、ＤＶＤのプログラム／ランダム再生を可能にする。
【図面の簡単な説明】
【００３８】
【図１】本発明の一実施形態に係る光ディスク再生装置の構成を示すブロック図である。
【図２】前記実施形態においてＤＶＤビデオの光ディスクに記録されているＰＧＣの位置を説明するためのデータ構造図である。
【図３】前記実施形態においてチャプタ番号を表示させるまでの処理を説明するためのフローチャートである。
【符号の説明】
【００３９】
１    光ディスク
２２    システムコントローラ（再生箇所判定手段、チャプタ番号割り振り手段、テーブル格納手段、チャプタ番号表示手段）
２３    フラッシュＲＯＭ（メモリ）
【図１】
2008034022.tif 000003
【図２】
2008034022.tif 000004
【図３】
2008034022.tif 000005